(57)【要約】【課題】発光する光を照明光として利用する効率を向上し、しかも、共通の光源で照明と赤目防止の両方を行い光源の取付けスペース確保が容易になる。【解決手段】白色発光ダイオードを発光源１として使用し、この発光源を反射笠２の中心部に配置し、点灯信号によって点灯回路は、発光源を所定時間赤目防止用に発光し、続いて、被写体照明用に発光する。【選択図】　　図１
2004126289.tif 000002
【特許請求の範囲】
【請求項１】
白色発光ダイオードを使用した発光源と、この発光源を中心部に配置し、この発光源からの光を反射して外部前方に放射する反射笠と、点灯信号によって前記発光源を所定時間赤目防止用に発光し、続いて、被写体照明用に発光する点灯回路とを備えたことを特徴とする発光装置。
【請求項２】
点灯回路は、さらに、発光可能状態になると発光源を点灯制御して発光可能表示させることを特徴とする請求項１記載の発光装置。
【発明の詳細な説明】
【０００１】
【発明の属する技術分野】
本発明は、写真撮影などにおいて被写体を照明する発光装置に関する。
【０００２】
【従来の技術】
従来、この種の発光装置としては、キセノンランプ等の閃光発光管を使用したものが知られている。（例えば、特許文献１参照）。
【０００３】
【特許文献１】
特開２００１−２４９３８４号公報（段落「００５６」〜「００５９」、図５等）
【０００４】
【発明が解決しようとする課題】
キセノンランプ等の閃光発光管は細長い棒状を為しているのが通常であり、発光管はその側面を照明側に向けて配置される。このため、発光管の正面側に向いた一側面からの光は直接外部に放射され、後方側に向いた他側面からの光は反射笠に反射させて外部に放射されるようになっている。
【０００５】
このように、閃光発光管は側面からの発光を効率よく照明光として利用できる。しかし、軸方向に発光する光は殆ど照明光として利用できなく、全体として見た場合、利用効率があまりよくなかった。
【０００６】
また、暗闇で閃光発光管が発光したとき人の瞳孔が大きく開くことによって網膜に血管が映し出される、いわゆる赤目と呼ばれる現象が生じるため、閃光発光管が発光する前に予め光を照射して人の瞳孔の開きを絞らせ、これによって赤目発生を防止することが行われているが、この赤目防止のために使用されるのは閃光発光管とは別の光源で、発光ダイオードなどが使用されている。
【０００７】
このように、照明用と赤め防止用とで異なる光源を使用するため、光源の数が多くなるとともにその分取付けスペースを確保しなければならないという問題があった。
【０００８】
さらに、内蔵されているコンデンサが充電されて閃光発光管が発光可能状態になったとき、それを表示によって知らせるようになっているが、このときの表示は、赤目防止用の発光ダイオードとは異なる発光ダイオードを使用して行っていた。
【０００９】
そこで、本発明は、発光する光を照明光に利用する効率を向上でき、しかも、共通の光源で照明と赤目防止ができて光源の取付けスペース確保も容易になる発光装置を提供する。
また、本発明は、さらに、共通の光源で発光可能表示もできる発光装置を提供する。
【００１０】
【課題を解決するための手段】
本発明は、白色発光ダイオードを使用した発光源と、この発光源を中心部に配置し、この発光源からの光を反射して外部前方に放射する反射笠と、点灯信号によって発光源を所定時間赤目防止用に発光し、続いて、被写体照明用に発光する点灯回路とを備えた発光装置にある。
また、点灯回路は、さらに、発光可能状態になると発光源を点灯制御して発光可能表示させることにある。
【００１１】
【発明の実施の形態】
以下、本発明の実施の形態を、図面を参照して説明する。
図１に示すように、発光光量の大きい白色発光ダイオード（以下、白色ＬＥＤと称する。）を使用した発光源１を円形の反射笠２の中心部に配置している。
【００１２】
なお、使用する白色発光ダイオードは１個でも複数個でもよい。また、白色発光ダイオードとしては、例えば、青色ＬＥＤチップと黄色の蛍光体を組み合わせたもの、紫外線ＬＥＤチップあるいは紫色ＬＥＤチップのいずれかと赤、緑、青各色の蛍光体を組み合わせてもの、赤、緑、青各色のＬＥＤチップを組み合わせてものなどがある。
【００１３】
前記反射笠２は、前記発光源１を配置した側の反対側を開口するとともに内面２ａを反射面に形成している。そして、前記発光源１からの光を直接、あるいは反射面に反射させて前方の開口部から外部へ放射するようになっている。前記反射笠２の中心部近傍に光ファイバ３の先端を前記発光源１に向けて固定している。この光ファイバ３の後端は外部に露出しており発光可能表示を行うようになっている。
【００１４】
図２は点灯回路の構成を示すもので、バッテリや電池などの直流電源１１に、操作スイッチ１２を介してＤＣ−ＤＣコンバータ１３の入力端子を接続している。このコンバータ１３はＤＣ−ＡＣ変換回路、昇圧回路を及びＡＣ−ＤＣ変換回路を設け、入力電圧をＤＣ−ＡＣ変換回路で交流に変換した後、昇圧回路で昇圧し、これをＡＣ−ＤＣ変換回路で再び直流に戻して出力するようになっている。
【００１５】
前記ＤＣ−ＤＣコンバータ１３の出力端子に、発光に必要な電圧をチャージする電解コンデンサ１４を接続している。そして、前記電解コンデンサ１４に抵抗１５と１６の直列回路からなる分圧回路を並列に接続している。前記抵抗１５，１６の接続点電圧を電圧検出回路１７で検出している。
【００１６】
また、前記電解コンデンサ１４に前記発光源１を第１のＦＥＴ（電界効果トランジスタ）１８を介して並列に接続するとともに抵抗１９及び第２のＦＥＴ２０を直列に介して並列に接続している。
【００１７】
前記電圧検出回路１７は、電解コンデンサ１４の両端間電圧を抵抗１５，１６の接続点電圧から間接的に検出し、両端間電圧が発光可能電圧に達したことを検出すると検出信号を制御部２１に供給するようにしている。
【００１８】
前記制御部２１は、前記電圧検出回路１７から検出信号を入力すると、前記第２のＦＥＴ２０をオン動作させるようになっている。前記第２のＦＥＴ２０がオン動作すると、発光源１の発光ダイオード及び抵抗１９を介して電流が流れるが、前記抵抗１９の抵抗値によってこのときの電流が発光ダイオードを発光可能表示させる程度の電流になるように設定されている。
【００１９】
前記制御部２１は、また、前記発光源１を照明のために発光させる点灯信号ｓの入力があると、前記第１のＦＥＴ１８を最初に赤目防止用として設定された所定の短時間だけオン動作し、その後、第１のＦＥＴ１８を一端オフ動作してから再度被写体照明用にオン動作するようになっている。
【００２０】
なお、前記第１のＦＥＴ１８を被写体照明用にオン動作した後にオフ動作するタイミングは、通常の発光装置が行っているように被写体からの反射光を受光素子で受光し、この受光量を演算することで適当な照度が得られるタイミングになっている。
【００２１】
このような構成においては、操作スイッチ１２をオン操作すると、ＤＣ−ＤＣコンバータ１３が動作して電解コンデンサ１４に充電電流が流れ、電解コンデンサ１４はチャージアップされる。そして、電解コンデンサ１４の充電電圧が発光可能な電圧に達すると、電圧検出回路１７がそれを検出して検出信号を制御部２１に供給する。
【００２２】
制御部２１は検出信号を入力すると、第２のＦＥＴ２０をオン動作する。これにより、発光源１の発光ダイオード及び抵抗１９を介して比較的小さい電流が流れ発光ダイオードが点灯する。このときの発光ダイオードの点灯光は通常の表示用として使用する程度の光量であり、何ら照明には寄与しない。従って、電解コンデンサ１４の充電電圧にほとんど影響を与えることはない。そして、発光源１からの光は光ファイバ３を経由して外部に放射され、発光可能表示が行われる。
【００２３】
この状態で、発光源１を照明のために発光させる操作を行うと、点灯信号ｓが発生し、この点灯信号ｓが制御部２１に入力される。これにより、制御部２１は、先ず、第１のＦＥＴ１８を赤目防止用として設定された所定の短時間だけオン動作する。このオン動作により発光源１の発光ダイオードには大きな電流が流れるため、発光源１が発光しその光が反射笠２によって前方の被写体に照射される。
【００２４】
例えば、被写体が人間で、しかも、暗い場所での写真撮影であれば、発光源１が発光した瞬間は人の瞳孔は大きく開いている。しかし、この発光によって人の瞳孔の開き具合が小さくなる。
【００２５】
この状態で、第１のＦＥＴ１８が一旦オフされた後、再度オン動作される。このオン動作により発光源１が再度発光しその光が反射笠２によって前方の被写体に照明用として照射される。この照射時にカメラは被写体を撮影することになる。
【００２６】
撮影時には人の瞳の開き具合が小さくなっているので、いわゆる、赤目と呼ばれる現象は発生しない。その後、被写体からの反射光を受光素子で受光し、この受光量が所定量に達すると適当な照度が得られたとして第１のＦＥＴ１８がオフされ、発光源１の発光が停止される。
【００２７】
このように、白色発光ダイオードを使用した発光源１を使用して、発光可能表示、赤目防止用の発光及び照明用の発光ができる。従って、例えば、発光可能表示機能、赤目防止機能、撮影照明機能をカメラに内蔵させる場合に、発光源を１つにでき取付けスペースの確保が容易になる。
【００２８】
また、白色発光ダイオードは閃光発光管とは異なり点光源になるので、反射笠２を使用することで発光ダイオードが発光する光のほとんどを照明光として効率よく利用することができる。
【００２９】
【発明の効果】
以上、詳述したように本発明によれば、発光する光を照明光に利用する効率を向上でき、しかも、共通の光源で照明と赤目防止ができて光源の取付けスペース確保も容易になる発光装置を提供できる。
また、本発明によれば、さらに、共通の光源で発光可能表示もできる発光装置を提供できる。
【図面の簡単な説明】
【図１】本発明の実施の形態を示す発光装置の構成を示す図。
【図２】同実施の形態における点灯回路の構成を示す図。
【符号の説明】
１…発光源
２…反射笠
１４…電解コンデンサ
１７…電圧検出回路
１８，１９…ＦＥＴ
２１…制御部
【図１】
2004126289.tif 000003
【図２】
2004126289.tif 000004